(57)【要約】【課題】  室内の模様替えなどに際し、自室の現実空間に模した仮想室内空間をネットワークを介してユーザのコンピュータ上に三次元画像として表示し、その画面内で生活関連用品などを適切かつ簡便に配置可能とすると共に仮想人物などによるＣＭを行う、レイアウトシステムとそのプログラムを格納した記録媒体並びに新規な広告方法を提供する。【解決手段】  本システムを構成する、事業者１、ネットワークショップ２、ペットショップ３、ゲームセンター４、メーカー又はディーラー５、ユーザパソコン６、７、８、９又は画像作成業者１０は、いずれもネットワークＮで接続され、事業者１はＣＧ技術を使って三次元画像で提供する仮想室内提供手段１ａ、商品情報提供手段１ｂ、レイアウト手段１ｃ、データベース１ｄ又はチャット手段１ｅを具備している。【選択図】図１
2005332352.tif 000002
【特許請求の範囲】
【請求項１】
ユーザのコンピュータとネットワークを介して接続され、ネットワーク上で構築される仮想室内空間で、ユーザが自室内の家電機器、家具、寝具、被服、身飾品、時計、室内装飾品、飲食物、ペット類、植物又は各種新商品などの配置、装着などを自由に行うと共に、天井、壁、床などの色調の変換、また仮想室内空間にユーザの仮想分身又は他の仮想人物、ペットなどを登場させ、ユーザの仮想分身と他の仮想人物が会話や飲食を行ったり、さらにペットと遊んだり、ゲームなどを行うことが可能な、バーチャル室内レイアウトシステムであって、
ユーザの現実室内の奥行き、高さ、巾寸法などを模擬し、ネットワークを介して接続されたユーザのコンピュータで閲覧可能な仮想室内を、三次元画像で提供する仮想室内画像提供手段と、
前記仮想室内のスペースに配置又は装着される、各種家電機器、家具、寝具、被服、身飾品、時計、室内装飾品、飲食物、ペット類、植物又は各種新商品などの商品コード、サイズ、色合い、価格などの商品情報を提供する、商品情報提供手段と、
ユーザが前記商品情報に基づいて各種家電機器、家具、寝具、被服、身飾品、時計、室内装飾品、飲食物、ペット類、植物又は各種新商品などの三次元画像を検索して室内画像内のスペースに適宜配置又は装着すると共に、天井、壁、床などの色調の変換などを行うレイアウト手段と、
前記仮想室内のスペースに配置又は装着される、各種家電機器、家具、寝具、被服、身飾品、時計、室内装飾品、飲食物、ペット類、植物、ユーザの仮想分身又は他の仮想人物、ペット及び各種新商品などについてのネットワークショップの在庫商品又は、メーカー又はディーラーが発売予定の新商品などについての三次元商品画像の提供を受け、これを格納する蓄積手段と、
前記仮想室内にユーザの仮想分身又は他の仮想人物、ペットなどを登場させ、仮想分身や他の仮想人物が発声したり、文字表示するチャット手段と、
を具備してなることを特徴とする、バーチャル室内レイアウトシステム。
【請求項２】
前記仮想室内提供手段、商品情報提供手段、レイアウト手段、蓄積手段及びチャット手段を具備するのは、ホストコンピュータを管理・運用する事業者であることを特徴とする、請求項１記載のバーチャル室内レイアウトシステム。
【請求項３】
前記事業者は、予め、前記各種商品の制作、販売、サービスの提供及び商品の三次元画像の制作、商品販売情報の提供、料金決済などについて、各メーカー、ディーラー、ネットワークショップ、ペットショップ又はゲームセンターなどと業務提携契約を締結していることを特徴とする、請求項１ないし請求項２記載記載のバーチャル室内レイアウトシステム。
【請求項４】
前記事業者は、予め仮想室内のスペースに配置又は装着する、各種家電機器、家具、寝具、被服、身飾品、時計、室内装飾品、飲食物、ペット類、植物又は各種新商品などについて、メーカー又はディーラーからの依頼があったとき、該新商品の発売前に、メーカー、ディーラー又は画像作成業者により制作された三次元画像を、ユーザへ配信してマーケットリサーチすることを特徴とする、請求項１ないし請求項３記載記載のバーチャル室内レイアウトシステム。
【請求項５】
前記メーカー、ディーラー、ネットワークショップ、ペットショップ又はゲームセンターは、１〜複数の企業又は店舗であり、三次元画像の商品情報又はゲーム情報は、そのメーカー、ディーラー、ネットワークショップ、ペットショップ又はゲームセンターあるいは他の画像作成業者により制作され、ネットワークを介して前記事業者又はユーザに直接又は間接的に送信されることを特徴とする、請求項１ないし請求項４記載記載のバーチャル室内レイアウトシステム。
【請求項６】
ユーザのコンピュータとネットワークを介して接続され、ネットワーク上で構築される仮想室内空間で、ユーザが自室内で使用したい各種家電機器、家具、寝具、被服、身飾品、時計、室内装飾品、飲食物、ペット類、植物又は各種新商品などの配置又は装着などを自由に行うと共に、天井、壁、床などの色調の変換、また仮想室内空間にユーザの仮想分身又は他の仮想人物、ペットなどを登場させ、ユーザと他の仮想人物が会話や飲食を行ったり、さらにペットと遊んだり、ゲームなどを行うことが可能な、プログラムであって、
ユーザの現実室内の奥行き、高さ、巾寸法などを模擬し、ネットワークを介して接続されたユーザのコンピュータで閲覧可能な仮想室内を、三次元画像で提供するための仮想室内画像提供ステップと、
前記仮想室内のスペースに配置又は装着される、各種家電機器、家具、寝具、被服、身飾品、時計、室内装飾品、飲食物、ペット類、植物又は各種新商品などの商品コード、サイズ、色合い、価格などの商品情報を提供する、商品情報提供ステップと、
ユーザが前記商品情報に基づいて各種家電機器、家具、寝具、被服、身飾品、時計、室内装飾品、飲食物、ペット類、植物又は各種新商品などの三次元画像を検索して室内画像内のスペースに適宜配置又は装着すると共に、天井、壁、床などの色調の変換などを行うレイアウトステップと、
前記仮想室内のスペースに配置又は装着される、各種家電機器、家具、寝具、被服、身飾品、時計、室内装飾品、飲食物、ペット類、植物、ユーザの仮想分身又は他の仮想人物、ペット及び各種新商品などについてのネットワークショップ、ペットショップの在庫商品又はメーカー又はディーラーが発売予定の新商品などについての三次元商品画像の提供を受け、これを格納する蓄積ステップと、
前記仮想室内にユーザの仮想分身又は他の仮想人物、ペットなどを登場させ、仮想分身や他の仮想人物が発声したり、文字表示するチャットステップと、
を含むことを特徴とする、ユーザのコンピュータで読み取り可能なプログラムが記録されている着脱可能な記録媒体。
【請求項７】
前記記録媒体がＣＤ−ＲＯＭ又はＤＶＤであることを特徴とする、請求項６記載の記録媒体。
【請求項８】
ユーザのコンピュータとネットワークを介して接続され、ネットワーク上で構築される仮想室内空間に、ユーザの仮想分身又は他の仮想人物、ペットなどを登場させ、事業者と業務の提携をしているメーカー、ディーラー、ネットワークショップ又はペットショップの新商品やゲームセンターなどの新ゲームを宣伝する広告方法であって、
ユーザの現実室内の奥行き、高さ、巾寸法などを模擬し、ネットワークを介して接続されたユーザのコンピュータで閲覧可能な仮想室内を、三次元画像で提供するための仮想室内画像提供ステップと、
前記仮想室内のスペースに配置又は装着される、各種家電機器、家具、寝具、被服、身飾品、時計、室内装飾品、飲食物、ペット類、植物又は各種新商品などの商品コード、サイズ、色合い、価格などの商品情報を提供する、商品情報提供ステップと、
ユーザが前記商品情報に基づいて各種家電機器、家具、寝具、被服、身飾品、時計、室内装飾品、飲食物、ペット類、植物又は各種新商品などの三次元画像を検索して室内画像内のスペースに適宜配置又は装着すると共に、天井、壁、床などの色調の変換などを行うレイアウトステップと、
前記仮想室内のスペースに配置又は装着される、各種家電機器、家具、寝具、被服、身飾品、時計、室内装飾品、飲食物、ペット類、植物、ユーザの仮想分身又は他の仮想人物、ペット及び各種新商品などについてのネットワークショップ、ペットショップの在庫商品又はメーカー又はディーラーが発売予定の新商品などについての三次元商品画像の提供を受け、これを格納する蓄積ステップと、
前記仮想室内にユーザの仮想分身又は他の仮想人物、ペットなどを登場させ、仮想分身や他の仮想人物が発声したり、文字表示するチャットステップと、
を具備してなることを特徴とする、バーチャル室内における新商品、新ゲームなどの広告方法。
【発明の詳細な説明】
【技術分野】
【０００１】  本発明は、バーチャル室内レイアウトシステム及び記録媒体、並びに広告方法に係り、特にはユーザのコンピュータとネットワークを介して接続され、ネットワーク上で構築される仮想室内空間で、ユーザが自室内の家電機器、家具類及びその他の生活関連用品の配置などを自由に行うと共に、自室内でのペット飼育、ゲームなどを行うと共に、仮想人物を介し広告活動を行うことが可能な、バーチャル室内レイアウトシステム及び記録媒体、並びに広告方法に関する。
【背景技術】
【０００２】  例えば、自室内の模様替えを行ったり又は、会社員などが転勤などにより新住居に入居した場合、その部屋の間取りに適合する家電機器、家具類及びその他の生活関連用品などの配置などを決定するのは容易でない。【０００３】  一般的な室内の家具などのレイアウト方法は、室内の奥行き、巾、高さ寸法などをメジャーで測定して間取り図を作成し、さらに搬入又は新たに購入した家電機器、家具類などの寸法をメジャーで測定した後、大きな家具類例えばベッド、ソファーなどから順次、配置したりしているが、全ての家電機器、家具類又はその他の生活関連用品などが適切に配置されることは困難であり、重い家具をいろいろと移動させ、各家具類などとのバランスを考慮しながら配置するので肉体的な疲労と共に、時間の浪費、さらには購入家具などの巾寸法、高さ寸法などが大きすぎた場合は、購入した店舗に連絡し、それらの商品交換を依頼するなどの不都合も起きている。
【発明の開示】
【発明が解決しようとする課題】
【０００４】  しかしながら、室内における家具などのレイアウトを簡便にする方法は、現今では特に提案されていない現状に鑑み、鋭意研究の結果、本発明者は、上記従来技術における課題の解決策を提案するもので、それは室内の模様替えなどを行うに際し、事前に自室の現実空間に模した仮想室内空間をネットワークを介してユーザのコンピュータ上に三次元画像として表示し、該仮想室内空間内での天井、壁、床などの色調変換はもちろん、各種家電機器、家具その他の生活関連用品などの大きさ、色合い、バランスなどを考慮して適切なレイアウトを行い、不要なものは廃棄したり、必要な家具又は新商品などがあればコンピュータ上でこれを検索、購入が可能であると共に、仮想空間室内にユーザの仮想分身や友人を模した仮想人物などを登場させて談笑したり、さらに犬、猫などのペットを登場させて遊んだり、ゲームなどをプレイすることによって、より快適な生活が得られ、さらに画面上に仮想人物などを登場させ、動作と共に音声・文字表示などによる新商品などの広告をユーザに対して行う、バーチャル室内レイアウトシステムとそのプログラムを格納した記録媒体、並びに広告方法の提供が、本発明の目的である。
【課題を解決するための手段】
【０００５】  請求項１に係る、バーチャル室内レイアウトシステムは、ユーザのコンピュータとネットワークを介して接続され、ネットワーク上で構築される仮想室内空間で、ユーザが自室内の家電機器、家具、寝具、被服、身飾品、時計、室内装飾品、飲食物、ペット類、植物又は各種新商品などの配置、装着などを自由に行うと共に、天井、壁、床などの色調の変換、また仮想室内空間にユーザの仮想分身又は他の仮想人物、ペットなどを登場させ、ユーザの仮想分身と他の仮想人物が会話や飲食を行ったり、さらにペットと遊んだり、ゲームなどを行うことが可能な、バーチャル室内レイアウトシステムであって、ユーザの現実室内の奥行き、高さ、巾寸法などを模擬し、ネットワークを介して接続されたユーザのコンピュータで閲覧可能な仮想室内を、三次元画像で提供する仮想室内画像提供手段と、前記仮想室内のスペースに配置又は装着される、各種家電機器、家具、寝具、被服、身飾品、時計、室内装飾品、飲食物、ペット類、植物又は各種新商品などの商品コード、サイズ、色合い、価格などの商品情報を提供する、商品情報提供手段と、ユーザが前記商品情報に基づいて各種家電機器、家具、寝具、被服、身飾品、時計、室内装飾品、飲食物、ペット類、植物又は各種新商品などの三次元画像を検索して室内画像内のスペースに適宜配置又は装着すると共に、天井、壁、床などの色調の変換などを行うレイアウト手段と、前記仮想室内のスペースに配置又は装着される、各種家電機器、家具、寝具、被服、身飾品、時計、室内装飾品、飲食物、ペット類、植物、ユーザの仮想分身又は他の仮想人物、ペット及び各種新商品などについてのネットワークショップの在庫商品又は、メーカー又はディーラーが発売予定の新商品などについての三次元商品画像の提供を受け、これを格納する蓄積手段と、前記仮想室内にユーザの仮想分身又は他の仮想人物、ペットなどを登場させ、仮想分身や他の仮想人物が発声したり、文字表示するチャット手段と、を具備してなることを特徴としている。【０００６】  請求項２は、請求項１記載のバーチャル室内レイアウトシステムにおいて、前記仮想室内提供手段、商品情報提供手段、レイアウト手段、蓄積手段又はチャット手段を具備するのは、ホストコンピュータを管理・運用する事業者であることを特徴としている。【０００７】  請求項３は、請求項１ないし請求項２記載のバーチャル室内レイアウトシステムにおいて、前記事業者は、予め、前記各種商品の制作、販売、サービスの提供又は商品の三次元画像の制作、商品販売情報の提供、料金決済などについて、各メーカー、ディーラー、ネットワークショップ、ペットショップ又はゲームセンターなどと業務提携契約を締結していることを特徴としている。【０００８】  請求項４は、請求項１ないし請求項３記載のバーチャル室内レイアウトシステムにおいて、前記事業者は、仮想室内のスペースに配置又は装着する、各種家電機器、家具、寝具、被服、身飾品、時計、室内装飾品、飲食物、ペット類、植物又は各種新商品などについて、メーカー又はディーラーからの依頼があったとき、該新商品の発売前に、メーカー、ディーラー又は画像作成業者により制作された三次元画像を、ユーザへ配信してマーケッ���リサーチすることを特徴としている。【０００９】  請求項５は、請求項１ないし請求項４記載のバーチャル室内レイアウトシステムにおいて、前記メーカー、ディーラー、ネットワークショップ、ペットショップ又はゲームセンターは、１〜複数の企業又は店舗であり、三次元画像の商品情報又はゲーム情報は、そのメーカー、ディーラー、ネットワークショップ、ペットショップ又はゲームセンターあるいは他の画像作成業者により制作され、ネットワークを介して前記事業者又はユーザに直接又は間接的に送信されることを特徴としている。【００１０】  請求項６は、ユーザのコンピュータとネットワークを介して接続され、ネットワーク上で構築される仮想室内空間で、ユーザが自室内で使用したい各種家電機器、家具、寝具、被服、身飾品、時計、室内装飾品、飲食物、ペット類、植物又は各種新商品などの配置又は装着などを自由に行うと共に、天井、壁、床などの色調の変換、また仮想室内空間にユーザの仮想分身又は他の仮想人物、ペットなどを登場させ、ユーザと他の仮想人物が会話や飲食を行ったり、さらにペットと遊んだり、ゲームなどを行うことが可能な、プログラムであって、ユーザの現実室内の奥行き、高さ、巾寸法などを模擬し、ネットワークを介して接続されたユーザのコンピュータで閲覧可能な仮想室内を、三次元画像で提供するための仮想室内画像提供ステップと、前記仮想室内のスペースに配置又は装着される、各種家電機器、家具、寝具、被服、身飾品、時計、室内装飾品、飲食物、ペット類、植物又は各種新商品などの商品コード、サイズ、色合い、価格などの商品情報を提供する、商品情報提供ステップと、ユーザが前記商品情報に基づいて各種家電機器、家具、寝具、被服、身飾品、時計、室内装飾品、飲食物、ペット類、植物又は各種新商品などの三次元画像を検索して室内画像内のスペースに適宜配置又は装着すると共に、天井、壁、床などの色調の変換などを行うレイアウトステップと、前記仮想室内のスペースに配置又は装着される、各種家電機器、家具、寝具、被服、身飾品、時計、室内装飾品、飲食物、ペット類、植物、ユーザの仮想分身又は他の仮想人物、ペット又は各種新商品などについてのネットワークショップ、ペットショップの在庫商品又はメーカー又はディーラーが発売予定の新商品などについての三次元商品画像の提供を受け、これを格納する蓄積ステップと、前記仮想室内にユーザの仮想分身又は他の仮想人物、ペットなどを登場させ、仮想分身や他の仮想人物が発声したり、文字表示するチャットステップと、を含むことを特徴とする、ユーザのコンピュータで読み取り可能なプログラムが記録されている着脱可能な記録媒体であることを特徴としている。【００１１】  請求項７は、請求項６記載の記録媒体が、ＣＤ−ＲＯＭ又はＤＶＤであることを特徴としている。【００１２】  請求項８は、ユーザのコンピュータとネットワークを介して接続され、ネットワーク上で構築される仮想室内空間に、ユーザの仮想分身又は他の仮想人物、ペットなどを登場させ、事業者と業務の提携をしているメーカー、ディーラー、ネットワークショップ、ペットショップの新商品やゲームセンターなどの新ゲームを宣伝する広告方法であって、ユーザの現実��内の奥行き、高さ、巾寸法などを模擬し、ネットワークを介して接続されたユーザのコンピュータで閲覧可能な仮想室内を、三次元画像で提供するための仮想室内画像提供ステップと、前記仮想室内のスペースに配置又は装着される、各種家電機器、家具、寝具、被服、身飾品、時計、室内装飾品、飲食物、ペット類、植物又は各種新商品などの商品コード、サイズ、色合い、価格などの商品情報を提供する、商品情報提供ステップと、ユーザが前記商品情報に基づいて各種家電機器、家具、寝具、被服、身飾品、時計、室内装飾品、飲食物、ペット類、植物又は各種新商品などの三次元画像を検索して室内画像内のスペースに適宜配置又は装着すると共に、天井、壁、床などの色調の変換などを行うレイアウトステップと、前記仮想室内のスペースに配置又は装着される、各種家電機器、家具、寝具、被服、身飾品、時計、室内装飾品、飲食物、ペット類、植物、ユーザの仮想分身又は他の仮想人物、ペット及び各種新商品などについてのネットワークショップ、ペットショップの在庫商品又はメーカー又はディーラーが発売予定の新商品などについての三次元商品画像の提供を受け、これを格納する蓄積ステップと、前記仮想室内にユーザの仮想分身又は他の仮想人物、ペットなどを登場させ、仮想分身や他の仮想人物が発声したり、文字表示するチャットステップと、を具備してなることを特徴とする、バーチャル室内における新商品、新ゲームなどの広告方法であることを特徴としている。
【発明の効果】
【００１３】  本発明に係る、バーチャル室内レイアウトシステム及び記録媒体、並びに広告方法は、上記の構成になるから以下の効果を奏する。即ち、請求項１ないし請求項３又は請求項５の発明によれば、室内の模様替えなどを行うに際し、事前に自室の現実空間に模した仮想室内空間をネットワークを介してユーザのパソコン上に二次元画像として現出し、該仮想室内空間内で天井、壁、床などの色調変換はもちろん、各種家電機器、家具類などの大きさ、色合い、バランスなどを考慮して適切なレイアウトを簡便に行うことができ、不要なものは廃棄したり、必要な家具又は新商品などがあればコンピュータ上でこれを検索、購入が可能であると共に、仮想室内空間にユーザの仮想分身や友人を模した仮想人物などを登場させて談笑したり、さらに犬、猫などのペットを登場させて遊んだり、ゲームなどをプレイすることによって、仮想室内空間でバーチャルリアリティを体験することが可能となり、従来にない快適な生活が得られる。【００１４】  さらに、請求項４によれば、メーカー又はディーラーが開発した各種家電機器、家具、寝具、被服、身飾品、時計、室内装飾品、飲食物、ペット類、植物又は各種新商品などについて、本格的な製造、販売前にユーザをモニターとして、その商品についてのデザイン、色、価格などについてのマーケットリサーチを行うことができるので、新商品の開発、販売戦略上、有利である。【００１５】  また請求項６ないし請求項７の発明によれば、着脱可能な記録媒体によって、すでに保有しているコンピュータを使用して、室内の模様替え、新商品の検索、購入さらに仮想室内空間でユーザの仮想分身や友人の仮想人物を登場させて談笑、飲食などができ、さらにペットと遊んだり、ゲームなどを楽しむことができるので、従来にない快適な生活が得られる。【００１６】  また請求項８の広告方法によれば、ユーザのコンピュータとネットワークを介して接続され、ネットワーク上で構築される仮想室内空間に、ユーザの仮想分身又は他の仮想人物、ペットなどを登場させ、事業者と業務の提携をしているメーカー、ディーラー、ネットワークショップ又はペットショップの新商品やゲームセンターなどの新ゲームを、ユーザは随時検索することが可能となり、また仮想空間室内でチャット（音声、文字）による仮想人物、ペットなどがコマーシャルをするのでその広告効果は顕著となる。
【発明を実施するための最良の形態】
【００１７】  以下、本発明を実施するための最良の形態を、図面を参照して説明する。図１は本発明の一実施形態例によるシステム構成を示すブロック図で、１は、事業者で、２は家電機器、家具などを販売するネットワークショップ、３は犬、猫などの愛玩動物又は鑑賞魚などを販売するペットショップで、４はゲームセンター、５は新商品を開発したメーカー又はディーラー、６、７、８、９は、不特定多数のユーザが使用するコンピュータ（以下、ユーザパソコンという）で、いずれもネットワークＮ（例えばインターネット）に接続されたコンピュータであり、キーボードなどの文字入力手段、ディスプレイなどの画像表示手段、送受信手段を有し、ネットワークショップ２、ペットショップ３又はメーカー又はディーラー５などは、取り扱い商品の三次元画像を制作させる画像作成業者１０と業務を提携している。【００１８】  事業者１のホストコンピュータＨＣは、ユーザパソコン６などで閲覧可能な仮想室内を、コンピュータグラフィック（以下、ＣＧという）技術を使って三次元画像で提供する仮想室内提供手段１ａ、ネットワークショップ２、ペットショップ３などが販売する各種家電機器、家具、寝具、被服、身飾品、時計、室内装飾品、飲食物、ペット類、植物（以下、生活関連用品という）、又はメーカー又はディーラー５の新発売商品に関する商品コード、サイズ、色合いなどの商品情報を三次元画像で提供する、商品情報提供手段１ｂ、生活関連用品の三次元画像をネットワークショップ２、ペットショップ３などから検索してユーザパソコン６、７、８、９の室内画像内のスペースに適宜配置するレイアウト手段１ｃ、ネットワークショップ２、ペットショップ３などが販売する生活関連用品又はメーカー又はディーラー５の新発売商品に関する商品コード、サイズ、色合いなどの商品情報、ユーザパソコン６、７、８、９の各ＵＲＬ又は男女複数の仮想人物、仮想動物などを格納する蓄積手段であるデータベース１ｄ、及び仮想室内にユーザの仮想分身又は他の仮想人物、ペットなどを登場させ、仮想分身や他の仮想人物が音声を発したり、文字表示するチャット手段１ｅを具備している。また１ｆは、上記仮想室内提供手段１ａ、商品情報提供手段１ｂ、レイアウト手段１ｃ、データベース１ｄ、又はチャット手段１ｅをプログラムとしてユーザパソコン６、７、８、９に実行させる記録媒体である。【００１９】  ネットワークショップ２は、現実商品をホームページ上で写真で表示し、ネットワークＮを介して販売すると共に、事業者１からの申し入れのあった、生活関連用品をＣＧ技術を使って三次元商品画像を、自店舗で制作するか又は業務を提携した画像作成業者１０に制作させてネットワークショップ２の商品画像をデータベース２ａに蓄積すると共に事業者１のホストコンピュータＨＣに送信し、事業者１はこれをデータベース１ｄに格納している。【００２０】  ペットショップ３は、犬、猫、小鳥又は鑑賞魚などのペット（現品）をネットワークＮなどを介して販売すると共に、事業者１からの申し入れのあった、犬、猫、小鳥又は鑑賞魚などペットの仮想上の三次元商品画像を、ＣＧ技術を使って自店舗で制作するか又は業務を提携した画像作成業者１０に制作させてペッ���ショップ３の商品画像をデータベース３ａに蓄積すると共に事業者１のホストコンピュータＨＣに送信し、事業者１はこれをデータベース１ｄに格納している。【００２１】  ゲームセンター４は、ネットワークＮを介して事業者１とユーザパソコン６などと接続され、接続されたユーザパソコン６などのＵＲＬを記憶すると共に、得点ゲーム又は非得点ゲーム例えば推理ゲーム、格闘ゲームなどを三次元化して配信し、また得点ゲーム上の得点ポイントを自動的に蓄積するデータベース４ａを具備し、また得点ポイント、ＵＲＬなどは事業者１のデータベース１ｄに送信され蓄積されている。【００２２】  メーカー又はディーラー５は、発売予定の新商品の三次元画像を、ＣＧ技術を使って自社で制作するか又は業務を提携した画像作成業者１０に制作させ、発音・文字表示するＣＭなどを事業者１又はユーザパソコン６に送信すると共に、新商品の三次元画像とコード番号、サイズ、色などの商品データを保存、蓄積するデータベース５ａを具備している。【００２３】  ユーザパソコン６、７、８、９は、事業者１が開発した本発明に係るバーチャル室内レイアウトシステムを内蔵したパソコン又は、そのプログラムを実行させる記録媒体１ｆが装備されたもので、これを使用するユーザは、主に個人、住宅関連業者、店舗設計施工業者、設計事務所、広告関連業者などである。【００２４】  図２は、本発明の一実施形態例に係るシステムの動作手順を示すフローチャートで、事業者１は、予めネットワークショップ２、ペットショップ３、ゲームセンター４及びメーカー又はディーラー５などに本発明に係る、バーチャル室内レイアウトシステムの趣旨を説明し、業務提携の申し入れを行い（Ｓ１）、三次元商品画像の制作・送信、商品販売時の料金決済などについて契約し（Ｓ２）、ネットワークショップ２などは契約に基づき三次元商品画像を作成・送信し（Ｓ２’）、次に事業者１はシステムの内容、ＵＲＬなどをホームページ上で開示し（Ｓ３）、これを閲覧した個人、住宅関連業者、店舗設計施工業者、設計事務所などのユーザは、本システムを内蔵したパソコン６又は記録媒体１ｆを購入し（Ｓ４）、ユーザはこれを起動させて事業者１又はネットワークショップ２などにアクセスすると（Ｓ５）、事業者１のホストコンピュータＨＣは、ユーザパソコン６などのＵＲＬをデータベース１ｄに格納し（Ｓ６）、ユーザパソコン６などから送信された現実室内の奥行き、巾、高さ寸法に適合する三次元仮想室内を仮想室内提供手段１ａを駆動させて返信し（Ｓ７）、ユーザパソコン６はこれを受信してディスプレイに表示する（Ｓ８）。【００２５】  続いて、ユーザパソコン６から事業者１のホストコンピュータＨＣ又はネットワークショップ２などに、例えばテーブルの高さ、巾寸法、形状、色又は価格などを入力して商品画像を要求（Ｓ９）すれば、事業者１のホストコンピュータＨＣは、商品情報提供手段１ｂを駆動させ、ネットワークショップ２のデータベース２ａに格納されている、ユーザパソコン６の入力情報に近似の複数のテーブル画像を検索（Ｓ１０）し、適合すると思われる１〜複数の商品画像を送信（Ｓ１１）し、ユーザがその商品画像に不満足のときは再び別の商品画像を再度要求（Ｓ９）し、ユーザは提供される商品画像の中から満足するテーブル画像を検討（Ｓ１２）することができ、価格などについても納得できたら、その商品（テーブル）の購入意思をホストコンピュータＨＣに送信（Ｓ１３）すれば、事業者１はネットワークショップ２などにその旨を送信（Ｓ１４）する。【００２６】  さらに、ユーザが他の商品例えば、テレビを購入したいときは、テレビのメーカー又はディーラー名、機種、大きさ又は価格などを入力して商品画像を要求（Ｓ９）すれば、事業者１のホストコンピュータＨＣは、商品情報提供手段１ｂを駆動させ、ネットワークショップ２のデータベース２ａに格納されている、ユーザパソコン６の入力情報に近似の複数のテレビ画像を検索（Ｓ１０）し、適合すると思われる１〜複数の商品画像を送信（Ｓ１１）し、ユーザはその商品群に不満足のときは再び別の商品群画像を要求（Ｓ９）し、ユーザは提供される商品画像の中から満足するテレビを検討（Ｓ１２）することができ、価格などについても納得できたらその商品（テレビ）の購入意思をホストコンピュータＨＣに送信（Ｓ１３）すれば、事業者１はユーザの氏名、住所、電話番号、代金の決済方法などを確認し、それらの個人情報をネットワークショップ２などに送信（Ｓ１４）すると共にデータベース１ｄに格納する。【００２７】  事業者１からの送信を受けたネットワークショップ２などは、商品の在庫を確認し、直ちに発注元のユーザに商品と請求書を発送（Ｓ１５）し、ユーザから代金支払（Ｓ１６）を確認した後、契約に基づいた料金を事業者１に送金して決済（Ｓ１７）し、取引は終了する。【００２８】  なお、ユーザは現実商品を購入しないで、仮想空間内で生活関連用品の三次元画像を取り込んでレイアウトを行ったり、又はゲームセンター３にアクセスして各種のゲームをプレイしたり、ペットショップ４からペットを仮想室内空間に取り込んだり、ユーザの仮想分身や友人の仮想人物などを登場させて談笑などを楽しむことも可能である。【００２９】  図３に示すのは、事業者１のホストコンピュータＨＣにアクセスしたユーザパソコン６の初期画面６ａで、事業者１からユーザパソコン６への仮想室内画像を送信するための質問事項Ｑ１〜Ｑ６と回答が表示され、ユーザは各質問に対する回答をポインタ１１でクリックして送信キー１２を押せば、ホストコンピュータＨＣのデータベース１ｄから回答内容に適合する図４に示す仮想室内画像６ｂが返信され、ユーザが希望する家具例えばテーブル１３を初期画面６ａの中からポインタ１１でクリックして送信キー１２を押せば、形状の異なったテーブル１３ａ、１３ｂ、１３ｃが仮想室内画像６ｂの側面部６ｃに表示され、ユーザがテーブル１３ａを選択してクリックし、画面下部の移動キー１４を押し、マウス（不図示）を使ってこれを矢印のように移動させ、ユーザが好む位置に配置し、固定キー１５を押してこれを固定し、他の家具類も同様にして順次レイアウトしていき図５に示す完了画面６ｄとなってレイアウト作業は一応終了するが、全体的なバランス、色調などを検討し、もし不満足の商品があれば、置換キー１６と戻るキー１７を押して初期画面６ａに戻り再度希望する商品を選択し、これを完了画面６ｄに移動、固定���て終了する。さらにこの完了画面６ｄをそのまま保存したいとき又は、この画面上に仮想上のペット例えば犬１８又は仮想人物１９を登場させたいときは保存キー２０を押せばこの完了画面６ｄはそのまま保存される。【００３０】  続いて、仮想上のペットの犬１８を完了画面６ｄに登場させるときは、ペットショップ３にペット画像を要求すれば、ペット画像と共に、ドッグフード１８ａが送信されてきて、事業者１のチャット手段１ｅが自動的に作動し「ウマイワン！」などと擬声を発してその言葉が文字表示されてＣＭとなる。【００３１】  さらに仮想人物１９を登場させるときは、ユーザが入力する条件例えば、「若い女性又は新発売のワイン」として事業者１のホストコンピュータＨＣにアクセスすれば、ホストコンピュータＨＣのデータベース１ｄから仮想の若い女性１９とネットワークショップ２から新発売のワイン１９ａが送信されてきて画面上に表示され（図６参照）、若い女性１９がのワイン１９ａをグラスに入れこれを一口飲んで、「コノワイントテモオイシイ！」と発声し同時に、「コノワイントテモオイシイ！」と文字表示されＣＭとなる。
【産業上の利用可能性】
【００３２】  本発明に係る、バーチャル室内レイアウトシステム又は記録媒体、並びに広告方法は、室内の模様替えなどを行うに際し、事前に自室の現実空間に模した仮想室内空間をネットワークＮを介してユーザパソコン６、７、８、９上に三次元画像として現出し、該仮想室内空間で天井、壁、床などの色調変換はもちろん、生活関連用品の大きさ、色合い、バランスなどを考慮して適切なレイアウトを簡便に行うことができ、不要なものは廃棄したり、必要な家具又は新商品などがあればコンピュータ上でこれを検索、購入が可能であると共に、仮想室内空間にユーザの仮想分身や友人を模した仮想人物などを登場させて談笑したり、さらに犬、猫などのペットを登場させて遊んだり、ゲームなどをプレイすることによって、仮想室内空間でバーチャルリアリティを体験することが可能となり、従来にない快適な生活が得られ、またメーカー又はディーラー５が開発した各種新商品について、本格的な製造、販売前にユーザをモニターとして、その商品についてのデザイン、色、価格などについてのマーケットリサーチを行うことができるので、新商品の開発、販売戦略上、有利であり、さらに仮想室内空間で仮想人物など各種の新商品のＣＭを行うことも可能であるため、本システムに関連する生活関連用品を取り扱うネットワークショップ２、ペットショップ３、ゲームセンター４はもちろん新商品を開発、販売するメーカー又はディーラー５及び住宅関連業界、広告業界など多岐の産業界に活性を付与することが予測される。
【図面の簡単な説明】
【００３３】
【図１】本発明に係る一実施形態例によるシステム構成を示すブロック図である。
【図２】同システムの動作手順を示すフローチャートである。
【図３】ユーザパソコンの初期画面である。
【図４】ユーザパソコンの仮想室内画像を示す画面である。
【図５】ユーザパソコンの仮想室内画像の完了画面である。
【図６】ユーザパソコンの仮想室内画像で、仮想人物、ペットなどを登場させ、ＣＭを行う説明画面である。
【符号の説明】
【００３４】１                      事業者
１ａ                    仮想室内提供手段
１ｂ                    商品情報提供手段
１ｃ                    レイアウト手段
１ｄ                    データベース
１ｅ                    チャット手段
１ｆ                    記録媒体
２                      ネットワークショップ
２ａ                    データベース
３                      ペットショップ
３ａ                    データベース
４                      ゲームセンター
４ａ                    データベース
５                      メーカー又はディーラー
６、７、８、９          ユーザパソコン
１０                    画像作成業者
Ｎ                      ネットワーク
ＨＣ                    ホストコンピュータ
【図１】
2005332352.tif 000003
【図２】
2005332352.tif 000004
【図３】
2005332352.tif 000005
【図４】
2005332352.tif 000006
【図５】
2005332352.tif 000007
【図６】
2005332352.tif 000008